(57)【要約】      （修正有）【課題】木材を丸のこで一定の幅に切断するとき、すばやくかつ正確に切断できる丸のこ切断用平行定規を提供する。【解決手段】丸のこ平行定規の端部にスライド用微調整ねじＡ８を設け、またそのスライドを固定するスライド固定ねじＡ７、スライド固定ねじＢ６を設ける。従って、木材を平行定規を使用して一定の幅に切断するのに、切断線に素早く合わせることができる。【選択図】図１
0003163644.tif 000002
【実用新案登録請求の範囲】
【請求項１】
丸のこ平行定規の端部に、スライド用微調整ねじＡ（８）を設け、又、そのスライドを固定するねじＡ（７）を設けたことを特徴とする丸のこ平行定規。
【請求項２】
丸のこのベース（２）〈ミゾキリ等も含む〉に、スライド用微調整ねじＢ等（９）を設けたことを特徴とする丸のこ。〈ミゾキリ等も含む〉
【考案の詳細な説明】
【技術分野】
【０００１】  本考案は、木材を丸のこで一定の幅に切断する際、素早く切断線に合わせて切断できる平行定規である。
【背景技術】
【０００２】  従来より、木材を一定の幅に切断する際、切断線に合わせながら平行定規を丸のこにセットし木材の側面を定規で擦り進み切断していた。
【考案が解決しようとする課題】
【０００３】  木材を平行定規を使用して一定の幅に切断するのに切断線に合わすのが困難であるため考案したものである。
【課題を解決するための手段】
【０００４】  丸のこ平行定規の端部にスライド用微調整ねじＡ（８）を設け、またそのスライドを固定するねじＡ（７）を設ける。
【０００５】    丸のこのベースに平行定規をさし、固定、その後ベースに取り付けたスライド用微調整ねじＢ（９）により、切断線に合わすことができる。
【考案の効果】
【０００６】  木材を平行定規を使用して一定の幅に切断するのに、切断線に素早く合わせることができる。
【実施例】
【０００７】  以下、本考案の実施例について説明する。
木材を一定幅に切断する際、平行定規を丸のこにセットして、切断線に合うように最初、丸のこのベースのスライド固定ねじＢ（６）をロックする。
そこで切断線からのずれの微調整を平行定規の端部のスライド用微調整ねじＡ（８）で合わせて、スライド固定ねじＡ（７）を締め、切断する。
【産業上の利用可能性】
【０００８】本考案の目的は、上記の課題を解消して、木材を一定の幅に切断する際、効率よく作業ができるよう提供するものである。したがって、木材加工現場などでの作業面で広く利用できる場面を有している。
【図面の簡単な説明】
【０００９】
【図１】本考案の丸のこ切断平行定規の正面図である。
【図２】本考案の丸のこの正面図である。
【符号の説明】
【００１０】１  丸のこ
２  ベース
３  切断
４  木材
５  平行定規
６  スライド固定ねじＢ
７  スライド固定ねじＡ
８  スライド用微調整ねじＡ
９  スライド用微調整ねじＢ
【図１】
0003163644.tif 000003
【図２】
0003163644.tif 000004
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
丸のこ平行定規の端部に、スライド用微調整ねじＡ（８）を設け、又、そのスライドを固定するねじＡ（７）を設けたことを特徴とする丸のこ平行定規。
【請求項２】
丸のこのベース（２）にスライド用微調整ねじＢ（９）を設けたことを特徴とする丸のこ。
【手続補正２】
【補正対象書類名】明細書
【補正対象項目名】全文
【補正方法】変更
【補正の内容】
【考案の詳細な説明】
【技術分野】
【０００１】  本考案は、木材を丸のこで一定の幅に切断する際、素早く切断線に合わせて切断できる平行定規である。
【背景技術】
【０００２】  従来より、木材を一定の幅に切断する際、切断線に合わせながら平行定規を丸のこにセットし木材の側面を定規で擦り進み切断していた。
【考案が解決しようとする課題】
【０００３】  木材を平行定規を使用して一定の幅に切断するのに切断線に合わすのが困難であるため考案したものである。
【課題を解決するための手段】
【０００４】  丸のこ平行定規の端部にスライド用微調整ねじＡ（８）を設け、またそのスライドを固定するねじＡ（７）を設ける。
【０００５】  丸のこのベースに平行定規をさし、固定、その後ベースに取り付けたスライド用微調整ねじＢ（９）により、切断線に合わすことができる。
【考案の効果】
【０００６】  木材を平行定規を使用して一定の幅に切断するのに、切断線に素早く合わせることができる。
【実施例】
【０００７】  以下、本考案の実施例について説明する。
木材を一定幅に切断する際、平行定規を丸のこにセットして、切断線に合うように最初、丸のこのベースのスライド固定ねじＢ（６）をロックする。
そこで切断線からのずれの微調整を平行定規の端部のスライド用微調整ねじＡ（８）で合わせて、スライド固定ねじＡ（７）を締め、切断する。
【産業上の利用可能性】
【０００８】  本考案の目的は、上記の課題を解消して、木材を一定の幅に切断する際に、効率よく作業が出来るようにする道具を提供することにある。したがって、木材加工現場で作業面で広く利用できる。
【図面の簡単な説明】
【０００９】
【図１】本考案の丸のこ切断平行定規の正面図である。
【図２】本考案の丸のこ切断平行定規の他の正面図である。
【符号の説明】
【００１０】１  丸のこ
２  ベース
３  切断
４  木材
５  平行定規
６  スライド固定ねじＢ
７  スライド固定ねじＡ
８  スライド用微調整ねじＡ
９  スライド用微調整ねじＢ
【手続補正２】
【補正対象書類名】図面
【補正対象項目名】全図
【補正方法】変更
【補正の内容】
【図１】
0003163644.tif 000005
【図２】
0003163644.tif 000006
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
丸のこ平行定規の端部に、スライド用微調整ねじＡ（８）を設け、又、そのスライドを固定するねじＡ（７）を設けたことを特徴とする丸のこ平行定規。
【請求項２】
丸のこのベース（２）にスライド用微調整ねじＢ（９）を設けるようにしたことを特徴とする請求項１記載の丸のこ平行定規。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、木材を丸のこで一定の幅に切断する際、素早く切断線に合わせて切断できる平行定規である。
【背景技術】
【０００２】  従来より、木材を一定の幅に切断する際、切断線に合わせながら平行定規を丸のこにセットし木材の側面を定規で擦り進み切断していた。
【考案の概要】
【考案が解決しようとする課題】
【０００３】  木材を平行定規を使用して一定の幅に切断するのに切断線に合わすのが困難であるため考案したものである。
【課題を解決するための手段】
【０００４】  丸のこ平行定規の端部にスライド用微調整ねじＡ（８）を設け、またそのスライドを固定するねじＡ（７）を設ける。【０００５】  丸のこのベースに平行定規をさし、固定、その後ベースに取り付けたスライド用微調整ねじＢ（９）により、切断線に合わすことができる。
【考案の効果】
【０００６】  木材を平行定規を使用して一定の幅に切断するのに、切断線に素早く合わせることができる。
【図面の簡単な説明】
【０００７】
【図１】本考案の丸のこ切断平行定規の正面図である。
【図２】本考案の丸のこ切断平行定規の他の正面図である。
【実施例】
【０００８】  以下、本考案の実施例について説明する。
木材を一定幅に切断する際、平行定規を丸のこにセットして、切断線に合うように最初、丸のこのベースのスライド固定ねじＢ（６）をロックする。
そこで切断線からのずれの微調整を平行定規の端部のスライド用微調整ねじＡ（８）で合わせて、スライド固定ねじＡ（７）を締め、切断する。
【産業上の利用可能性】
【０００９】  本考案の目的は、上記の課題を解消して、木材を一定の幅に切断する際に、効率よく作業が出来るようにする道具を提供することにある。したがって、木材加工現場で作業面で広く利用できる。
【符号の説明】
【００１０】１  丸のこ
２  ベース
３  切断
４  木材
５  平行定規
６  スライド固定ねじＢ
７  スライド固定ねじＡ
８  スライド用微調整ねじＡ
９  スライド用微調整ねじＢ
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
丸のこ平行定規の端部に、スライド用微調整ねじＡ（８）を設け、又、そのスライドを固定するねじＡ（７）を設けたことを特徴とする丸のこ平行定規。
【手続補正２】
【補正対象書類名】明細書
【補正対象項目名】０００７
【補正方法】変更
【補正の内容】
【０００７】
【図１】本考案の丸のこ切断平行定規の正面図である。
【手続補正３】
【補正対象書類名】図面
【補正対象項目名】図２
【補正方法】削除
【補正の内容】